【手続補正書】
【提出日】平成15年8月28日(2003.8.28)
【手続補正１】
【補正対象書類名】明細書
【補正対象項目名】発明の名称
【補正方法】変更
【補正の内容】
【発明の名称】画像入力システム、画像入力装置、画像入力システムの制御方法、プログラム及び記憶媒体


【手続補正２】
【補正対象書類名】明細書
【補正対象項目名】特許請求の範囲
【補正方法】変更
【補正の内容】
【特許請求の範囲】
【請求項１】
外部装置と、該外部装置と接続される画像入力装置とを有する画像入力システムであって、
原稿を照射する光源を制御する光源制御手段と、
原稿画像の読み取り開始が指示されたことを検出する検出手段とを有し、
前記検出手段により原稿画像の読み取り開始が指示されたことを検出した場合に、前記光源制御手段により前記光源を点灯させるように制御すると共に、前記検出手段による検出結果を前記外部装置に転送することを特徴とする画像入力システム。
【請求項２】
前記画像入力装置は通信手段を有し、前記通信手段により前記検出手段の検出結果を前記外部装置に転送することを特徴とする請求項１に記載の画像入力システム。
【請求項３】
前記検出手段により原稿画像の読み取り開始が指示されたことを検出し、且つ前記光源制御手段により前記光源を点灯させるように制御した後に、前記検出手段の検出結果を前記外部装置に転送することを特徴とする請求項１又は２に記載の画像入力システム。
【請求項４】
前記外部装置は、前記検出手段の検出結果を受信する受信手段と、前記受信手段により前記検出手段による検出結果を受信した場合に前記画像入力装置を操作する操作手段を有効状態とするように制御する制御手段と、を有することを特徴とする請求項１乃至３のいずれかに記載の画像入力システム。
【請求項５】
外部装置と接続されると共に該外部装置から制御可能な画像入力装置であって、
原稿を照射する光源を制御する光源制御手段と、
原稿画像の読み取り開始が指示されたことを検出する検出手段とを有し、
前記検出手段により原稿画像の読み取り開始が指示されたことを検出した場合に、前記光源制御手段により前記光源を点灯させるように制御すると共に、前記検出手段による検出結果を前記外部装置に転送することを特徴とする画像入力装置。
【請求項６】
通信手段を更に有し、前記通信手段により前記検出手段の検出結果を前記外部装置に転送することを特徴とする請求項５に記載の画像入力装置。
【請求項７】
前記検出手段により原稿画像の読み取り開始が指示されたことを検出し、且つ前記光源制御手段により前記光源を点灯させるように制御した後に、前記検出手段の検出結果を前記外部装置に転送することを特徴とする請求項５又は６に記載の画像入力装置。
【請求項８】
外部装置と、該外部装置と接続される画像入力装置とを有する画像入力システムの制御方法であって、
原稿を照射する光源を制御する光源制御工程と、
原稿画像の読み取り開始が指示されたことを検出する検出工程とを有し、
前記検出工程により原稿画像の読み取り開始が指示されたことを検出した場合に、前記光源制御工程により前記光源を点灯させるように制御すると共に、前記検出工程の検出結果を前記外部装置に転送することを特徴とする画像入力システムの制御方法。
【請求項９】
前記検出工程により原稿画像の読み取り開始が指示されたことを検出し、且つ前記光源制御工程により前記光源を点灯させるように制御した後に、前記検出工程の検出結果を前記外部装置に転送することを特徴とする請求項８に記載の画像入力システムの制御方法。
【請求項１０】
前記検出工程による検出結果を受信する受信工程と、前記受信工程により前記検出工程による検出結果を受信した場合に前記画像入力装置を操作する操作手段を有効状態にするように制御する制御工程と、を有することを特徴とする請求項８又は９に記載の画像入力システムの制御方法。
【請求項１１】
請求項８乃至１０のいずれかに記載の画像入力システムの制御方法をコンピュータにより実行させることを特徴とするプログラム。
【請求項１２】
請求項１１に記載のプログラムを記憶したことを特徴とするコンピュータ読み取り可能な記憶媒体。」
【手続補正３】
【補正対象書類名】明細書
【補正対象項目名】００１３
【補正方法】変更
【補正の内容】
【００１３】
本発明は、上記事情に鑑みてなされたものであり、その目的は、実際の画像の読み取り開始までの時間を大幅に短縮することが可能で、しかも省電力で、より使い勝手の良い画像入力システム、画像入力装置、画像入力システムの制御方法、プログラム及び記憶媒体を提供することである。


【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
【課題を解決するための手段】
上記目的を達成するために、本発明の請求項１に記載の画像入力システムは、外部装置と、該外部装置と接続される画像入力装置とを有する画像入力システムであって、原稿を照射する光源を制御する光源制御手段と、原稿画像の読み取り開始が指示されたことを検出する検出手段とを有し、前記検出手段により原稿画像の読み取り開始が指示されたことを検出した場合に、前記光源制御手段により前記光源を点灯させるように制御すると共に、前記検出手段による検出結果を前記外部装置に転送することを特徴とする。


【手続補正７】
【補正対象書類名】明細書
【補正対象項目名】００１７
【補正方法】変更
【補正の内容】
【００１７】
また、上記目的を達成するために、本発明の請求項２に記載の画像入力システムは、請求項１に記載の画像入力システムにおいて、前記画像入力装置は通信手段を有し、前記通信手段により前記検出手段の検出結果を前記外部装置に転送することを特徴とする。


【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
また、上記目的を達成するために、本発明の請求項３に記載の画像入力システムは、請求項１又は２に記載の画像入力システムにおいて、前記検出手段により原稿画像の読み取り開始が指示されたことを検出し、且つ前記光源制御手段により前記光源を点灯させるように制御した後に、前記検出手段の検出結果を前記外部装置に転送することを特徴とする。


【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
また、上記目的を達成するために、本発明の請求項４に記載の画像入力システムは、請求項１乃至３のいずれかに記載の画像入力システムにおいて、前記外部装置は、前記検出手段の検出結果を受信する受信手段と、前記受信手段により前記検出手段による検出結果を受信した場合に前記画像入力装置を操作する操作手段を有効状態とするように制御する制御手段と、を有することを特徴とする。


【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】変更
【補正の内容】
【００２９】
また、上記目的を達成するために、本発明の請求項５に記載の画像入力装置は、外部装置と接続されると共に該外部装置から制御可能な画像入力装置であって、原稿を照射する光源を制御する光源制御手段と、原稿画像の読み取り開始が指示されたことを検出する検出手段とを有し、前記検出手段により原稿画像の読み取り開始が指示されたことを検出した場合に、前記光源制御手段により前記光源を点灯させるように制御すると共に、前記検出手段による検出結果を前記外部装置に転送することを特徴とする。


【手続補正２０】
【補正対象書類名】明細書
【補正対象項目名】００３０
【補正方法】変更
【補正の内容】
【００３０】
また、上記目的を達成するために、本発明の請求項６に記載の画像入力装置は、請求項５に記載の画像入力装置において、通信手段を更に有し、前記通信手段により前記検出手段の検出結果を前記外部装置に転送することを特徴とする


【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】変更
【補正の内容】
【００３２】
また、上記目的を達成するために、本発明の請求項７に記載の画像入力装置は、請求項５又は６に記載の画像入力装置において、前記検出手段により原稿画像の読み取り開始が指示されたことを検出し、且つ前記光源制御手段により前記光源を点灯させるように制御した後に、前記検出手段の検出結果を前記外部装置に転送することを特徴とする。


【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】変更
【補正の内容】
【００３９】
また、上記目的を達成するために、本発明の請求項８に記載の画像入力システムの制御方法は、外部装置と、該外部装置と接続される画像入力装置とを有する画像入力システムの制御方法であって、原稿を照射する光源を制御する光源制御工程と、原稿画像の読み取り開始が指示されたことを検出する検出工程とを有し、前記検出工程により原稿画像の読み取り開始が指示されたことを検出した場合に、前記光源制御工程により前記光源を点灯させるように制御すると共に、前記検出工程の検出結果を前記外部装置に転送することを特徴とする。


【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】変更
【補正の内容】
【００４２】
また、上記目的を達成するために、本発明の請求項９に記載の画像入力システムの制御方法は、請求項８に記載の画像入力システムの制御方法において、前記検出工程により原稿画像の読み取り開始が指示されたことを検出し、且つ前記光源制御工程により前記光源を点灯させるように制御した後に、前記検出工程の検出結果を前記外部装置に転送することを特徴とする。


【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】変更
【補正の内容】
【００４５】
また、上記目的を達成するために、本発明の請求項１０に記載の画像入力システムの制御方法は、請求項８又は９に記載の画像入力システムの制御方法において、前記検出工程による検出結果を受信する受信工程と、前記受信工程により前記検出工程による検出結果を受信した場合に前記画像入力装置を操作する操作手段を有効状態にするように制御する制御工程と、を有することを特徴とする。


【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】変更
【補正の内容】
【００５２】
また、上記目的を達成するために、本発明の請求項１１に記載のプログラムは、請求項８乃至１０のいずれかに記載の画像入力システムの制御方法をコンピュータにより実行させることを特徴とする。


【手続補正４３】
【補正対象書類名】明細書
【補正対象項目名】００５３
【補正方法】変更
【補正の内容】
【００５３】
更に、上記目的を達成するために、本発明の請求項１２に記載の記憶媒体は、請求項１１に記載のプログラムを記憶したことを特徴とする。


【手続補正４４】
【補正対象書類名】明細書
【補正対象項目名】００７３
【補正方法】変更
【補正の内容】
【００７３】
図５は、本実施の形態に係る画像入力システムを用いて画像を読み取る際の外部機器１１６であるコンピュータ上で実行されるアプリケーションプログラム画面の一例を示す図である。


【手続補正４５】
【補正対象書類名】明細書
【補正対象項目名】００９５
【補正方法】変更
【補正の内容】
【００９５】
図８において図１と異なる点は、スタートスイッチ１１５が内部光量制御回路１０９には接続されておらず、ＣＰＵ１０８のみに接続されていることである。


【手続補正４６】
【補正対象書類名】明細書
【補正対象項目名】０１０４
【補正方法】変更
【補正の内容】
【０１０４】
上述の実施の形態によれば、原稿画像の読み取り開始を指示する指示手段（スタートスイッチ１１５）により原稿画像の読み取り開始が指示されたことを、検出手段（外部機器１１６）により検出した時点で前記光源制御手段（内部光源光量制御回路１０９、外部光源光量制御回路１１２）により原稿を照射する光源（内部光源１０９、外部光源１１０）を点灯させて光量調整を開始するように制御するので、従来のようにユーザが読み取り開始を指示した後に光源の光量調整を開始する場合に比べて、格段と実際の読み取り開始までの待ち時間を減少することができる。また、本発明の画像入力システムの制御方法を用いることにより、ＥＮＥＲＧＹ  ＳＴＡＲ等の省電力規格を準拠した形でより使い勝手の良い画像入力システムを提供することが可能となる。


【手続補正４７】
【補正対象書類名】明細書
【補正対象項目名】０１０５
【補正方法】変更
【補正の内容】
【０１０５】
【発明の効果】
以上詳述したように、本発明の画像入力システム、画像入力装置、画像入力システムの制御方法、プログラム及び記憶媒体によれば、従来に比べて、実際の読み取り開始までの待ち時間を減少することができる。また、本発明の画像入力システムの制御方法を用いることにより、省電力でより使い勝手の良い画像入力システムを提供することが可能となる。


【手続補正４８】
【補正対象書類名】図面
【補正対象項目名】図１
【補正方法】変更
【補正の内容】
【図１】
2002218170.tif 000001
【手続補正４９】
【補正対象書類名】図面
【補正対象項目名】図８
【補正方法】変更
【補正の内容】
【図８】
2002218170.tif 000002